(57)【要約】【課題】観賞用水槽内の金魚や熱帯魚等の魚類、あるいは水生植物、水生動物などとともに緑色をした自然味のある島の感じを楽しむため、苔を被覆して緑色をした浮島を提供するものである。【解決手段】魚類、水生動物あるいは水生植物を観賞するための観賞用水槽１に浮かせる浮島において、水面に浮く材料からなるフロート２の表面が苔３で覆われ、フロート１の下部には重り５が固定される。また、フロート２の上面の苔３の間には植物６が配置される。【選択図】図１
0003128656.tif 000002
【実用新案登録請求の範囲】
【請求項１】
魚類、水生動物あるいは水生植物を観賞するための観賞用水槽に浮かせる浮島において、水面に浮く材料からなるフロートの表面が自然の苔又は合成樹脂で自然の苔を模した疑似苔で覆われ、フロートの下部には重りが固定されていることを特徴とする、観賞用水槽に浮かせる浮島。
【請求項２】
前記フロートの上面に被覆された前記苔の間に自然の植物又は合成樹脂で自然の植物を模した疑似植物が設けられていることを特徴とする請求項１記載の観賞用水槽に浮かせる浮島。
【考案の詳細な説明】
【技術分野】
【０００１】
本考案は、熱帯魚、金魚、水生植物などを観賞するための観賞用水槽に浮かせる浮島に関する。
【背景技術】
【０００２】
金魚や熱帯魚などの魚類、水生植物、あるいは水生動物などを観賞するための観賞用水槽の水面に浮島を浮かせることが知られている。
【０００３】
例えば、特許文献１には金魚鉢に浮かせる浮島として、合成樹脂製の中空体の上面に銭亀が滑らないように多数の突起を設け、下面におもりをつけた浮島が開示されている。
【０００４】
また、特許文献２には、水槽の水面上での安定性がよく、かつ水位の変動にも自動的に対応できて、使い勝手のよい観賞魚用水槽用浮島として、下面にブロー成形により中空の合成樹脂製盤状の浮島本体を形成し、この浮島本体に上下両面を貫通する貫通孔を設け、全体を合成樹脂で樹木に模した形状とした支柱部材を貫通孔に挿通し、支柱部材の下端の吸盤を水槽の内底面に吸着させて立設し、浮島本体を上下動可能にした浮島が開示されている。
【０００５】
さらに、特許文献３には、湿地植物を池、湖などに浮かべて観賞用に供するため、気泡を有するスポンジ質材料で作った容器の底に孔を開け、孔を金網で塞ぎ、容器の中に花菖蒲などの湿地植物を植える栽培用の土壌を入れ、容器に紐につけた錨を連結した観賞用水上栽培装置が開示されている。
【特許文献１】実公昭４１−８０６７号公報
【特許文献２】特開平９−１７２９０４号公報
【特許文献３】実公昭４７−３０３５８号公報
【考案の開示】
【考案が解決しようとする課題】
【０００６】
前記特許文献１に記載された浮島では、合成樹脂で中空体を形成するために植物が植えることができないので、自然の植物や動物とを同時に鑑賞することができない。また、合成樹脂で中空体を形成し、さらにその上面に多数の突起を設けなくてはならないので、製造工程が複雑となる。
【０００７】
また、前記特許文献２に記載された浮島も、前記特許文献１に記載された浮島と同様に、合成樹脂で中空体を形成するために植物を植えることができず、さらに合成樹脂で模した人工の樹木の支柱を用いるので、自然の植物や動物とを同時に鑑賞することができない。さらに、浮島に貫通孔を設け、貫通孔に合成樹脂で模した支柱部材を通して水槽の内底面に吸着させる必要があるため、製造工程が複雑となる。
【０００８】
また、特許文献３に記載された観賞用水上栽培装置は、栽培用の土壌を容器中に入れて使用するために、仮にこれを観賞用水槽に適用した場合に、観賞用水槽内に容器の底に形成された孔から栽培用の土壌が溶け出したりあるいは落ちたりして観賞用水槽内が汚濁するおそれがあるので、また、池、湖などに浮かべることから流されないように紐につけた錨が鑑賞の邪魔になるので、観賞用水槽の浮島としては不適当である。
【０００９】
そこで、本考案は、観賞用水槽内の金魚や熱帯魚等の魚類、あるいは水生植物、水生動物などとともに緑色をした自然味のある島の感じを楽しむため、苔を被覆して緑色をした浮島を提供するものである。
【課題を解決するための手段】
【００１０】
本考案は、魚類、水生動物あるいは水生植物を観賞するための観賞用水槽に浮かせる浮島において、水面に浮く材料からなるフロートの表面が自然の苔又は合成樹脂で苔を模した疑似苔で覆われ、フロートの下部には重りが固定されていることを特徴とする。観賞用水槽に浮かせる。前記フロートの上面に被覆された前記苔の間に自然の植物又は合成樹脂で植物を模した疑似植物を設けることができる。
【００１１】
本考案の観賞用水槽は、魚類、水生動物あるいは水生植物を飼育して観賞するために使用される水を張ることができるもので、透明のガラスやアクリル樹脂性の容器や、石、金属あるいは陶器製の水盤、鯉などを飼う小さな池などを挙げることができる。
【００１２】
フロートの材料には、水に浮かぶ材料、例えば、発泡スチロールなどの発泡性合成樹脂、中空成型品、木材などを使用することができる。
【００１３】
フロートの形状は、特に限定されるものではなく、板状のもの、球状のもの、あるいは上面に起伏を形成したものなどのなかから目的や好みに応じて鑑賞用に適した形状を選択することができ、また材料が発泡性樹脂や木材なので容易に造型することができる。また、フロートの大きさは、観賞用水槽の大きさ、好みに応じて、３ｃｍ程度の小さい物から１５ｃｍ程度の大きさ、また、小さな池用の３０ｃｍ程度のものなど観賞用水槽の大きさ、好みに応じて適宜の大きさの物を使用することができる。
【００１４】
フロートを覆う苔には自然の生きた苔あるいは苔を模した合成樹脂製の疑似苔を用いる。自然の生きた苔としては、水面上にあるフロートの上面を水辺や湿気のある所に育つ苔、例えば、ミズシダゴケなどで覆い、下面を水中で育つ苔、例えば、ウイローモスなどで覆う。これらの自然あるいは人工の苔は市販されているもの使用することができる浮島全体を苔で覆うことにより、浮島全体が緑色をした自然を現出させることができる。また、生きた苔又は疑似苔なので腐ることもなく長く自然の状態を保つことができる。
【００１５】
フロートを覆う苔は、目立たないように細い透明のテグスを苔の上から形を整えながら巻き付けて定着させることができる。
【００１６】
フロートの下面には重りを配置して、フロートが倒れたり、反転したりしないようにする。重りには、フロートが水面で安定して浮かぶことができるように、先の尖った金属を必要な数だけ押し込んで調整する。重りは、目障りとならないように苔で隠れるように取り付ける。苔や植物の生長に合わせて、金属棒を抜いたりあるいは増やしたりして調整することができる。金属棒に代えて金属板を適宜の長さに切断し、ビスや接着剤などで固定してもよい。
【００１７】
フロートの上面には、小さな島の外観をした浮島に形成するために、フロートの上面に生きた植物あるいは合成樹脂製の疑似植物を植える。植えられた植物の根は、苔や苔とフロートとの間に伸びて生長していく。上面に植える植物は、特に限定されるものではなく、鑑賞者の好み、季節などにより適宜選択することができる。例えば、もみじ、姫くちなしなどの小さな苗木、ユキノシタなどの草花、姫セキショウなどの小さな水辺の植物を挙げることができる。植物に加えて、さらに飾り石や切り花などの飾り物を配置してもよい。
【考案の効果】
【００１８】
本考案の浮島は、フロートの表面が緑色の苔で覆われており、さらに苔の中に植物が配置されているので、観賞用水槽に浮かべると、自然味のある小さな島の景色そのままを鑑賞することができる。また、植物を好みや季節などにより変えたり、あるいは複数組み合わせたりして自然の変化を楽しむことができる。
【００１９】
浮島は、観賞用水槽に浮かべると、魚の動きや風などにより水槽内を浮遊して景色が変化するので、見る人に新たな驚きと喜びを感じさせる。また、エビを入れた場合には、エビが浮島につかまるため、その小さな動きが浮島を動かすのでおもしろみがある。
【００２０】
また、従来の水槽の底面に砂を入れて水草類を水中で育てる代わりに、本考案の浮島で苔と植物を水面近くに浮かべると、魚が水中を自由に移動できるし、水槽に上面からでなく、底面から照明を当てたり、眺めたりすることが可能となる。また、砂を定期的に洗う煩わしさもなくなる。
【００２１】
また、観賞用水槽は、今まで夏に需要が集中しがちであったが、浮島に季節の花や植物を取り入れることで、四季折々の景色を楽しむことができるようになり、夏以外の季節にも需要が期待される。
【００２２】
また、本考案の浮島は、家庭用のガラスの器などを観賞用水槽にして浮かべて手軽にメダカなどを飼うことができるので、多くの人が自然に親しめるようなる。
【考案を実施するための最良の形態】
【００２３】
本考案の実施例について図面を用いて説明する。
【実施例１】
【００２４】
図１は本考案による浮島の実施例を示す図である。
【００２５】
図１において、観賞用水槽１の水面に浮く発泡スチロール製の板状のフロート２を準備する。
【００２６】
フロート２の下部に、重り５として、先端が尖った金属棒５を複数押し込んで浮力を調整して固定する。
【００２７】
フロート２の上面に小さな植物６を配置する。植物６は、根が苔３や苔３とフロート２との間に伸びて生長していくフロート２の表面を生きている苔３で覆う。苔３は、水面上部分を水辺の苔で覆い、水中部分を水中苔で覆う。覆った苔３の上から細い透明のテグス４を巻いて苔３、小さな植物６、重り５をフロート２に定着させる。
【実施例２】
【００２８】
図２は本考案による浮島の別実施例を示す図である。
【００２９】
図２において、観賞用水槽１の水面に浮く発泡スチロール製の板状のフロート２を準備する。
【００３０】
フロート２の下部には、重り５として、板状の金属板を所定の大きさに切断して浮力を調整してテ−プで仮止めする。
【００３１】
フロート２の上面には、小さな植物６を植える。植物６は、根が苔３や苔３とフロート２との間に伸びて生長していく。
【００３２】
フロート２の表面を生きている苔３で覆う。苔３は、水面上部分を水辺の苔で覆い、水中部分を水中苔で覆う。覆った苔３の上から細い透明のテグス４を巻いて苔３、小さな植物６、重り５をフロート２に定着させる。
【図面の簡単な説明】
【００３３】
【図１】本考案による浮島の実施例を示す図である。
【図２】本考案による浮島の別実施例を示す図である。
【符号の説明】
【００３４】
１：観賞用水槽  ２：フロート
３：苔          ４：テグス
５：重り        ６：植物
【図１】
0003128656.tif 000003
【図２】
0003128656.tif 000004